(57)【要約】【課題】従来のＬＥＤ表示装置における色の変化やスクロールなどの表現だけでなく、更に観察者の注意を引くような表示ができるＬＥＤ表示装置を提供することを目的とする。【解決手段】上記目的を達成するために本発明のＬＥＤ表示装置は、複数のＬＥＤ発光素子１１を所望の間隔で長尺基板１５上に実装されたＬＥＤモジュール１０を、所望の間隔で、複数平行に並べ、表示面から背景が見通せる構成とすることにより、表示内容と背景表示とのコンビネーションによる多彩な表示ができるようにした。【選択図】図１
2006251484.tif 000002
【特許請求の範囲】
【請求項１】
長尺基板上に複数のＬＥＤ発光素子が所望の間隔で実装されたＬＥＤモジュールを所望の間隔で複数平行に配設し表示面としたことを特徴とするＬＥＤ表示装置。
【請求項２】
前記ＬＥＤ発光素子は、前記長尺基板の面に対し平行になるように実装されたことを特徴とする請求項１記載のＬＥＤ表示装置。
【請求項３】
前記ＬＥＤ発光素子のリードは略直角に形成され前記長尺基板に実装されたことを特徴とする請求項１または２記載のＬＥＤ表示装置。
【請求項４】
長尺基板上に複数のＬＥＤ発光素子が所望の間隔で実装されたＬＥＤモジュールを所望の間隔で複数配設し、前記ＬＥＤ発光素子の発光面とは反対となる面に、バックライトを配設したことを特徴とするＬＥＤ表示装置。
【請求項５】
前記バックライトの発光輝度は、前記ＬＥＤ発光素子の発光輝度よりも低いことを特徴とするＬＥＤ表示装置の輝度制御方法。
【発明の詳細な説明】
【技術分野】
【０００１】
本発明は、複数のＬＥＤ発光素子の点滅制御により文字や図形を表示するＬＥＤ表示装置に関するものである。
【背景技術】
【０００２】
従来から街角や商店の出入り口に、宣伝広告のためにＬＥＤ表示装置が多数設置されている。
【０００３】
このようなＬＥＤ表示装置は、複数のＬＥＤ発光素子をマトリクス状に配置した表示部と、個々のＬＥＤ発光素子の点滅制御を行なう制御部を備え、プログラムにより多彩な文字や図形の表示、更にはスクロールなどの動きにより、観察者の注意を引くように工夫されている。
【０００４】
しかしながら、従来のＬＥＤ表示装置の構成では、色やスクロールスピードなどを変化させることが主であり、表現の斬新さという点においては、課題が出てきている。
【０００５】
このような課題に鑑み、より観察者の注意を引く目的で、近年では、図５に示されるように、単に文字等を表示するだけでなく、「営業中」などの文字の固定表示を表示する情報表示部２と、情報表示部２の内容を目立たせるための図形や模様などを表示する背景表示部３とを備えたＬＥＤ表示装置１が提案されている（例えば、特許文献１）。
【０００６】
特許文献１によれば、ＬＥＤ発光素子をプリント基板上に配置して文字や図形で構成される情報内容を発光表示する情報表示部２と、同じくＬＥＤ発光素子を配置して所定の模様を発光表示する背景表示部３とを、それぞれ重なり合うように同じプリント基板上に配置することで、装置の存在をバラエティに富んだ見え方でアピールすることができるというものである。
【特許文献１】特開平１１−３２７４６６号公報
【発明の開示】
【発明が解決しようとする課題】
【０００７】
しかしながら、上記の特許文献１では、情報表示部２に表現できるのは固定文字であり、また、背景表示部３においても、同様に固定の模様しか表現できず、スクロールなど動きを表現することができないという課題がある。
【０００８】
また、情報表示部２を構成するＬＥＤ発光素子と背景表示部３を構成するＬＥＤ発光素子が同一面で構成されているため、背景表示部３のＬＥＤ発光素子の光の影響で情報表示部２の内容が見えにくくなるという課題もある。
【０００９】
前記課題に鑑み、本発明の表示装置は、情報表示部と背景表示部を備えたＬＥＤ表示装置であっても、多彩な表現が可能であり、更に、背景表示部のＬＥＤ発光素子の光の影響を低減できるＬＥＤ表示装置を提供することを目的とする。
【課題を解決するための手段】
【００１０】
上記目的を達成するために請求項１記載の発明は、長尺基板上に複数のＬＥＤ発光素子が所望の間隔で実装されたＬＥＤモジュールを所望の間隔で複数平行に配設し表示面としたＬＥＤ表示装置である。
【００１１】
係る構成によれば、ＬＥＤモジュール間に空隙があるため背景を見通すことが可能になる。
【００１２】
また、請求項２記載の発明は、請求項１記載の発明において、前記ＬＥＤ発光素子が前記長尺基板の面に対し平行になるように実装されている。
【００１３】
係る構成によれば、長尺基板の面が表示面と平行になるため、ＬＥＤモジュール間の空隙を大きくすることが可能になる。
【００１４】
また、請求項３記載の発明は、請求項１または２記載の発明において、前記ＬＥＤ発光素子のリードは略直角に形成され前記長尺基板に実装されている。
【００１５】
係る構成によれば、リードを直角に形成し長尺基板上に実装することにより、ＬＥＤモジュール間の間隔の大きくすることができる。
【００１６】
また、請求項４記載の発明は、長尺基板上に複数のＬＥＤ発光素子が所望の間隔で実装されたＬＥＤモジュールを所望の間隔で複数配設し、前記ＬＥＤ発光素子の発光面とは反対となる面に、バックライトを配設したＬＥＤ表示装置である。
【００１７】
係る構成によれば、表示面に表示内容をバックライトの点灯により、更に目立たせることができるとともに、表示面となるＬＥＤモジュールのＬＥＤ発光素子がバックライトから離れるため、バックライトからの光により、表示内容が見づらくなることを低減させることができる。
【００１８】
また、請求項５記載の発明は、前記バックライトの発光輝度が、前記ＬＥＤ発光素子の発光輝度よりも低いＬＥＤ表示装置の輝度制御方法である。
【００１９】
係る構成によれば、バックライトの光により表示内容が阻害されることがない。
【発明の効果】
【００２０】
以上述べたように、本発明のＬＥＤ表示装置によれば、表示面から背景を見通すことが可能になり、背景を利用した多彩な表現が可能になるとともに、ＬＥＤ発光素子がマトリクス状に配設されているため固定文字に限らずスクロールなど多彩な表示をさせることも可能である。
【００２１】
また、本発明のＬＥＤ表示装置によれば、背景にバックライトを配設することにより、表示内容を更に目立たせることができるとともに、表示面となるＬＥＤモジュールのＬＥＤ発光素子がバックライトから離れるため、バックライトからの光により、表示内容が見づらくなることを低減させることができる。
【発明を実施するための最良の形態】
【００２２】
以下、本発明に係る実施の形態について、図面を基に説明する。
【００２３】
（実施の形態１）
図１は、本発明に係るＬＥＤモジュールを示した図であり、図１（ａ）は上面図、図１（ｂ）は側面から見た断面図である。
【００２４】
図１（ａ）に示されるように、ＬＥＤモジュール１０は、複数のＬＥＤ発光素子１１が所望の間隔で長尺基板１５上に実装されたものであり、図１（ｂ）に示されるように、ＬＥＤ発光素子１１のリード端子１７を略直角に曲げ、ＬＥＤ発光素子１１が、長尺基板１５の面に対し、平行になるように実装されたものである。
【００２５】
図２（ａ）は、本発明のＬＥＤ表示装置を表示面側から見た外観図であり、図２に示されるようにＬＥＤ表示装置１２は、複数のＬＥＤモジュール１０をＬＥＤモジュール１０上の個々のＬＥＤ発光素子１１の間隔と同じ間隔で並べたものであり、表示面１６全体では、ＬＥＤ発光素子１１がマトリクス状に配列された構成になる。
【００２６】
また、図示されてないが、表面は、透明な樹脂製カバーにより覆われ、樹脂製カバーは、枠体１８に固定されている。
【００２７】
また、このようなＬＥＤ表示装置１２の内部は、図２（ｂ）の断面図に示されるように、個々のＬＥＤモジュール１０がマザー基板２１上に実装されたコネクタ２０に電気的に接続され、マザー基板２１は、支持体２５により枠体１８に固定される。
【００２８】
また、個々のＬＥＤ発光素子１１の点滅制御を行なう制御部２２は、接続ケーブル２３により、マザー基板２１に電気的に接続されている。
【００２９】
以上の構成によれば、ＬＥＤモジュール１０の面が、観察者側から見て、平行に配設されているため、個々のＬＥＤモジュール１０の間には、空隙が形成され、例えば、表示面１６とは、反対となる面に絵画などを配設すれば、従来のＬＥＤ表示装置では表現できなかった表示が可能となるとともに、表示面１６には、ＬＥＤ発光素子１１がマトリクス状に配設されているため、固定文字だけでなく、多彩な文字の表現並びにスクロールなどの動きも対応することが可能となる。
【００３０】
（実施の形態２）
図３は、本発明に係るバックライトの断面図であり、バックライト３０は、複数のＬＥＤ発光素子３５を均一な明るさになるように所望の位置に基板３８上に実装し、ＬＥＤ発光素子３５の上面を表面が凹凸状に形成された透明な光拡散板３２を配設したものである。
【００３１】
このようなバックライト３０を図２のＬＥＤ表示装置１２の表示面１６とは反対となる面に配設することにより、更に多彩な表現が可能となる。
【００３２】
また、図４は、表示面１６の背面に図３のバックライト３０を配設したものであるが、図に示されるように、バックライト３０のＬＥＤ発光素子３５と表示面１６のＬＥＤ発光素子１１との間隔ｈが離れているとともに、ＬＥＤモジュール１０の長尺基板１５が、バックライト３０からの光の散乱を低減させるため、表示面  バックライト３０の光による表示面１６の表示内容への影響を低減させることができる。
【００３３】
また、バックライト３０のＬＥＤ発光素子３５の輝度をＬＥＤモジュール１０の輝度よりも低くすることにより、更に表示面１６の表示内容を目立たせることができる。
【産業上の利用可能性】
【００３４】
本発明は、複数のＬＥＤ発光素子により、文字や図形を表示するＬＥＤ表示装置に有用な技術である。
【図面の簡単な説明】
【００３５】
【図１】（ａ）は、本発明のＬＥＤ表示装置に係るＬＥＤモジュールの上面図、（ｂ）は側面から見た断面図
【図２】（ａ）は本発明のＬＥＤ表示装置の外観図、（ｂ）は断面図
【図３】本発明のＬＥＤ表示装置に係るバックライトを示す断面図
【図４】本発明のＬＥＤ表示装置にバックライトを配設した場合の断面図
【図５】従来のＬＥＤ表示装置の平面図
【符号の説明】
【００３６】
１、１２  ＬＥＤ表示装置
２  情報表示部
３  背景表示部
【図１】
2006251484.tif 000003
【図２】
2006251484.tif 000004
【図３】
2006251484.tif 000005
【図４】
2006251484.tif 000006
【図５】
2006251484.tif 000007